(57)【要約】      （修正有）【課題】箱から切り取った情報カードを物品の保管場所の適宜位置に簡単に設置する。また、箱を開封し情報カードを切り取った後に箱が開封済みであることを明確にする。【解決手段】この包装用箱Ｂ１は、箱の一部に医薬品に関する情報カード２４を切り取り可能に備え、この情報カード２４の裏面に、両面テープが貼設される。また、この箱Ｂ１の場合、４側面は少なくとも１面が外側の板１１と内側の板１５とからなる２重構造で、外側の板１１に情報カード２４が形成され、内側の板１５の情報カード２４の切り取り後の外側に現れる面に「開封済み」の文字が記入される。【選択図】図１
0003194833.tif 000002
【実用新案登録請求の範囲】
【請求項１】
箱の一部に当該箱に収容する物品に関する各種の情報を表示した情報カードを切り取り可能に備え、前記情報カードを前記物品の管理に使用する情報カード付き包装用箱において、
前記情報カードの裏面に、両面テープがその一方の接着面で貼接され、他方の接着面を剥離紙で保護されて貼設される、
ことを特徴とする情報カード付き包装用箱。
【請求項２】
箱の一部は外側の板と内側の板とからなる２重構造で、前記外側の板に情報カードが形成され、前記内側の板の前記情報カードの切り取り後の外側に現れる面に開封済みの文字が記入される請求項１に記載の情報カード付き包装用箱。
【請求項３】
箱は、４側面と、前記４側面の両端を封じる蓋とを備え、情報カードは前記４側面のうちの少なくとも１側面に形成され、その一端は前記一方の蓋側に延び、前記箱の両端を封じる際に、前記情報カードの一端が前記一方の蓋の内側に配置され、当該蓋で押え固定される請求項１又は２に記載の情報カード付き包装用箱。
【考案の詳細な説明】
【技術分野】
【０００１】
本考案は、箱の一部を切り取り、情報カード（箱に収容する物品に関する各種の情報を表示したカード）として使用できるようにした情報カード付き包装用箱に関する。
【背景技術】
【０００２】
近年、医薬品を包装する箱の一部を切り取り、情報カード（医薬品に関する各種の情報を表示したカード）として使用できるようにした情報カード付き包装用箱が提案されており、この種の包装用箱が特許文献１などに開示されている。
この文献１の包装用箱は、箱の一部にミシン目が施されて切り取り可能にカードを備え、カードの表面に製品に関する詳細な情報が印刷され、カードの裏面に製品名のみが大きく印刷されている。このようにして包装用箱に印刷された文字情報の視認性を向上させ、医療機関での調剤、在庫管理の作業効率の低下や調剤の過誤を防止できるようにしてある。
【先行技術文献】
【特許文献】
【０００３】
【特許文献１】実用新案登録第３１８９９４２号公報
【考案の概要】
【考案が解決しようとする課題】
【０００４】
しかしながら、上記従来の包装用箱では、情報を印刷されたカードが箱から切り取り可能になっているだけなので、この情報カードを医療機関の医薬品の保管場所の適宜の位置、例えば保管棚や保管ケースの前面に設置して使用する場合は、この情報カードをセロハンテープなどを使って貼り付ける必要があり、この場合、セロハンテープを適宜の長さに切り、このテープで情報カードを保管棚や保管ケースに貼り付ける作業が必要となり、使い勝手がよいとは言い難い。
また、上記従来の包装用箱の場合、情報カードが箱の一側面にミシン目が施されて切り取り可能になっているので、箱の開封、未開封に拘わらず、情報カードの切り取りが可能で、未使用（未開封）のものを使用中のものと誤って、情報カードを切り取ってしまう恐れがあり、また、情報カードを一旦切り取ってしまうと、その保管に困り、紛失することも懸念される。
【０００５】
本考案は、このような従来の問題を解決するものであり、この種の情報カード付き包装用箱において、箱から切り取った情報カードを物品の保管場所の適宜の位置その他任意の位置に簡単に設置できること、箱を開封し情報カードを切り取った後に箱が開封済みであることを明確にし、さらに、箱を開封しなければ情報カードを切り取ることができないようにして、未使用（未開封）のものを使用中のものと誤って情報カードを切り取ってしまうのを防止することなど、を目的とする。
【課題を解決するための手段】
【０００６】
上記目的を達成するために、本考案は、箱の一部に当該箱に収容する物品に関する各種の情報を表示した情報カードを切り取り可能に備え、前記情報カードを前記物品の管理に使用する情報カード付き包装用箱において、前記情報カードの裏面に、両面テープがその一方の接着面で貼接され、他方の接着面を剥離紙で保護されて貼設される、ことを要旨とする。
また、この包装用箱は、次のような構成を併せて備えることが好ましい。
（１）箱の一部は外側の板と内側の板とからなる２重構造で、前記外側の板に情報カードが形成され、前記内側の板の前記情報カードの切り取り後の外側に現れる面に開封済みの文字が記入される。
（２）箱は、４側面と、前記４側面の両端を封じる蓋とを備え、情報カードは前記４側面のうちの少なくとも１側面に形成され、その一端は前記一方の蓋側に延び、前記箱の両端を封じる際に、前記情報カードの一端が前記一方の蓋の内側に配置され、当該蓋で押え固定される。
【考案の効果】
【０００７】
本考案の情報カード付き包装用箱によれば、情報カードの裏面に、両面テープがその一方の接着面で貼接され、他方の接着面を剥離紙で保護されて貼設されるので、箱から切り取った情報カードを、裏面の両面テープを使って、物品の保管場所の適宜の位置その他任意の位置に簡単に貼り付けて設置することができる。この場合、両面テープの剥離紙を剥がすだけで、情報カードを即座に貼り付けることができる。
また、この場合、箱の一部が外側の板と内側の板とからなる２重構造で、外側の板に情報カードが形成され、内側の板の情報カードの切り取り後の外側に現れる面に開封済みの文字が記入されることで、箱を開封し情報カードを切り取った後に箱が開封済みであることを明確にして、未使用（未開封）のものを使用中のものと誤って情報カードを切り取ってしまうのを防止することができる。
さらに、この場合、情報カードが箱の４側面のうちの少なくとも１側面に形成され、その一端が一方の蓋側に延び、箱の両端を封じる際に、情報カードの一端が一方の蓋の内側に配置され、当該蓋で押え固定されることで、箱を開封しなければ情報カードを切り取ることができず、未使用（未開封）のものを使用中のものと誤って情報カードを切り取ることがない。
【図面の簡単な説明】
【０００８】
【図１】本考案の第１の実施の形態における情報カード付き包装用箱の構成を示す斜視図（（ａ）は情報カード切り取り前の図（ｂ）は情報カード切り取り後の図）
【図２】同包装用箱の特に情報カードの裏面を示す斜視図
【図３】同包装用箱の組み立て前の紙基材を示す平面図（展開図）
【図４】本考案の第２の実施の形態における情報カード付き包装用箱の構成を示す斜視図（（ａ）は情報カード切り取り前の図（ｂ）は情報カード切り取り後の図）
【図５】同包装用箱の特に情報カードを示す斜視図（（ａ）は情報カードの裏面を示す図（ｂ）は情報カードの表面を示す図）
【図６】同包装用箱の組み立て前の紙基材を示す平面図（展開図）
【図７】同包装用箱を開封し、情報カードを切り取る手順を示す斜視図（同包装用箱の開封前、情報カードの切り取り前の状態を示す図）
【図８】同包装用箱を開封し、情報カードを切り取る手順を示す斜視図（同包装用箱の開封状態を示す図）
【図９】同包装用箱を開封し、情報カードを切り取る手順を示す斜視図（同包装用箱の開封後、情報カードを切り取った状態を示す図）
【考案を実施するための形態】
【０００９】
次に、この考案を実施するための形態について図を用いて説明する。なお、次の各実施の形態では、特に、ＰＴＰ包装の医薬品（この場合、錠剤やカプセルなどの医薬品が複数個ずつ１枚のＰＴＰシートに収納され、これが複数枚ずつ一まとめにされたもので、ここでは特にアルミ包材パックに封入されたもの）を包装するのに使用する情報カード付き包装用箱を例示している。
【００１０】
図１、図２に第１の実施の形態を示している。
図１に示すように、情報カード付き包装用箱Ｂ１（以下、単に包装用箱Ｂ１、箱Ｂ１と称する場合がある。）は、箱Ｂ１の一部にこの箱Ｂ１に収容する医薬品に関する各種の情報を表示した情報カード２４を切り取り可能に備え、この情報カード２４を医薬品の管理に使用するものである。この包装用箱Ｂ１においては、特に、図２に示すように、情報カード２４の裏面に、両面テープ１がその一方の接着面で貼接され、他方の接着面を剥離紙２で保護されて貼設される。
この情報カード付き包装用箱Ｂ１は、図１に示すように、箱Ｂ１が、４側面１１−１５と、４側面１１−１５の両端を封じる蓋２０，２２、２１とを備える。この場合、４側面１１−１５はそれぞれ前後に長い長方形に形成され、この４側面１１−１５の前後両端にそれぞれ蓋２０，２２、２１が略横長の長方形に形成される。また、この箱Ｂ１の一部、ここでは４側面１１−１５の少なくとも１面が外側の板（左側面）１１と内側の板（連結面）１５とからなる２重構造で、外側の板１１に情報カード２４が形成され、内側の板１５の外側の板１１から情報カード２４が切り取られた後の外側に現れる面に「開封済み」の文字が印刷により記入される。
【００１１】
この情報カード付き包装用箱Ｂ１は、一枚のブランクシートから一体的に打ち抜かれて形成された一枚の紙基材（Ｐ１）からなり、この紙基材（Ｐ１）は各部が所定の順序で折り曲げられ、所定の各接着位置が接着固定されて組み立てられる。
【００１２】
図３にこの紙基材Ｐ１を示している。なお、この図３には紙基材Ｐ１の表面（組み立て後に表側となる面）が現れている。図３に示すように、この紙基材Ｐ１は、全体が前後方向に長い直方体形状に組み立て可能に、直方体形状に組み立て後の状態で、左側面１１、下側面１２、右側面１３、上側面１４、及び左側面１１に重合されて上側面１４と左側面１１との連結面１５をなす相互に折れ線Ｌ１−Ｌ４を介して連接して形成される４側面形状部Ｐ１１−Ｐ１５（左側面形状部Ｐ１１、下側面形状部Ｐ１２、右側面形状部Ｐ１３、上側面形状部Ｐ１４、及び連結面形状部Ｐ１５）と、左側面形状部Ｐ１１及び右側面形状部Ｐ１３の前後方向の両端にそれぞれ折れ線Ｌ５，Ｌ６及びＬ７，Ｌ８を介して形成され、直方体形状に組み立て後の状態で前面左フラップ１６、後面左フラップ１７及び前面右フラップ１８、後面右フラップ１９をなす前面左フラップ形状部Ｐ１６、後面左フラップ形状部Ｐ１７及び後面右フラップ形状部Ｐ１８、後面右フラップ形状部Ｐ１９と、下側面形状部Ｐ１２の後方向の一端に折れ線Ｌ９を介して形成され、直方体形状に組み立て後の状態で後面内蓋２０をなす後面内蓋形状部Ｐ２０と、上側面形状部Ｐ１４の前後方向の両端にそれぞれ折れ線Ｌ１０、Ｌ１１を介して形成され、直方体形状に組み立て後の状態で前面外蓋２１をなす前面外蓋形状部Ｐ２１、後面外蓋２２をなす後面外蓋形状部Ｐ２２、及び前面外蓋形状部Ｐ２１の先端延長上に折れ線Ｌ１２を介して連続して形成され、前面外蓋２１の接着片２１１をなす横長の帯状の接着片形状部Ｐ２１１と、連結面形状部Ｐ１５の前方向の一端に折れ線Ｌ１３を介して形成され、直方体形状に組み立て後の状態で前面左フラップ１６の内側に重合可能な連結面フラップ２３をなす連結フラップ形状部Ｐ２３とを有する。
この場合、４側面形状部Ｐ１１−Ｐ１５はそれぞれ前後に長い長方形に形成され、下側面形状部Ｐ１２、上側面形状部Ｐ１４がそれぞれ左側面形状部Ｐ１１、右側面形状部Ｐ１３よりも少し幅広に形成される。前面外蓋形状部Ｐ２１、後面外蓋形状部Ｐ２２、後面内蓋形状部Ｐ２０、各フラップ形状部Ｐ１６、Ｐ１７、Ｐ１８、Ｐ１９、Ｐ２３はそれぞれ略台形状に形成され、前面外蓋形状部Ｐ２１、後面外蓋形状部Ｐ２２はそれぞれ、後面内蓋形状部Ｐ２０、各フラップ形状部Ｐ１６、Ｐ１７、Ｐ１８、Ｐ１９、Ｐ２３よりも大きく形成され、後面内蓋形状部Ｐ２０は各フラップ形状部Ｐ１６、Ｐ１７、Ｐ１８、Ｐ１９、Ｐ２３よりも少し大きく形成される。また、連結面形状部Ｐ１５は左側面形状部Ｐ１１と略同じ大きさ、形状に形成され、後端部が僅かに切り欠かれている。連結面フラップ形状部Ｐ２３は前面左フラップ形状部Ｐ１６と略同じ形状で、前面左フラップ形状部Ｐ１６よりも僅かに小さく形成される。
また、この場合、下側面形状部Ｐ１２の前端に前面外蓋形状部Ｐ２１を切り離すための破断線Ｃ１が略台形の溝形に形成され、この下側面形状部Ｐ１２の後端に、この箱Ｂ１を廃棄するときに、箱Ｂ１が折り畳みやすくなるように、後面内蓋形状部Ｐ２０を切り離すための破断線Ｃ２が折れ線Ｌ９の位置から後面内蓋形状部Ｐ２０内に略円弧状に、さらにその両端から折れ線Ｌ９上に沿って直線状に形成される。
そして、この紙基材Ｐ１においては、箱Ｂ１の左側面１１をなす左側面形状部Ｐ１１と連結面１５をなす連結面形状部Ｐ１５が左側面形状部Ｐ１１を外側（外側の板）、連結面形状部Ｐ１５を内側（内側の板）にして重ね合わされ接合される部分となり、この左側面形状部Ｐ１１に箱Ｂ１に収容する医薬品に関する各種の情報を表示した情報カード２４が切り取り可能に形成され、この情報カード２４の裏面に、両面テープ１がその一方の接着面で貼接され、他方の接着面を剥離紙２で保護されて貼設される（図２参照）。
この場合、情報カード２４は、左側面形状部Ｐ１１内に、左側面形状部Ｐ１１と前面左フラップ形状部Ｐ１６との間の折れ線Ｌ５上中央に所定の長さの前部破断線（ミシン目加工）Ｃ３が形成され、前部破断線Ｃ３の上部側（図３中、左側）の一端を始端としてこの始端から左側面形状部Ｐ１１内を後端方向に向けて所定の長さまで上部破断線（ミシン目加工）Ｃ４が形成され、前部破断線Ｃ３の下部側（図３中、右側）の他端を始端としてこの始端から左側面形状部Ｐ１１と下側面形状部Ｐ１２との間の折れ線Ｌ１に向けて斜めに切断され、これに続けてこの折れ線Ｌ１上に沿って下部破断線（ジッパー加工）Ｃ５が後端方向に向けて上部破断線（ミシン目加工）Ｃ４と同じ長さまで形成され、これら上部、下部破断線Ｃ４、Ｃ５の終端部間に後部破断線（ミシン目加工）Ｃ６が形成され、さらに、上部破断線Ｃ４の終端と後部破断線Ｃ６上で下部破断線Ｃ５の終端に近接する位置から左側面形状部Ｐ１１の後端側の面がさらに台形状に切り欠かれるとともにこの台形状を内包してコ字形に切り欠かれてこれら台形状とコ字形状の間が切り抜かれることにより、（情報カード２４）全体として、左側面形状部Ｐ１１の比較的広い範囲に亘って、後部にタブ２４１を有する帯状に形成される。なお、ここでは、上部破断線Ｃ４をミシン目加工としたが、下部破断線Ｃ５と同様に、（切り取り方向をタブ２４１から前面左フラップ１６方向とする）ジッパー加工としてもよい。
紙基材Ｐ１はこのようにして形成され、この紙基材Ｐ１の上側面形状部Ｐ１４や左右の各側面形状部Ｐ１１、Ｐ１３などには医薬品に関する各種の情報が印刷され、特に、外側の板となる左側面形状部Ｐ１１の情報カード２４内には、とりわけ医療機関で利用性の高い情報が記入され、内側の板になる連結面形状部Ｐ１５の表面には、左側面形状部Ｐ１１から情報カード２４が切り取られた後の外側に現れる面に「開封済み」の文字が記入され、併せて開封年月日の記入欄が設けられる。
【００１３】
このようにしてこの紙基材Ｐ１は各形状部が各折れ線を介して折り曲げられ、前後方向に長い直方体形状の箱形に組み立てられる。すなわち、下側面１２をなす下面形状部Ｐ１２に対して左側面形状部Ｐ１１が折れ線Ｌ１を介して直角に折り曲げられて左側面１１をなし、同様に、下面形状部Ｐ１２に対して右側面形状部Ｐ１３が折れ線Ｌ２を介して直角に折り曲げられて右側面１３をなし、この右側面１３に対して上側面形状部Ｐ１４が折れ線Ｌ３を介して直角に折り曲げられて上側面１４をなす。そして、この上側面１４に対して連結面形状部Ｐ１５が折れ線Ｌ４を介して直角に折り曲げられ、左側面１１の内側に重合されて連結面１５をなす。この左側面１１の内側で左側面１１及び前面左フラップ１６と連結面１５及び連結面フラップ２３が接着剤を介して（この場合、左側面１１の裏面側で、自由端側の縁部及び情報カード２４後方の後端部、さらに情報カード２４の前方の前面左フラップ１６の裏面に接着剤を塗布されて）連結され、これにより４側面１１−１４、１５が組み立てられる。この状態から、左、右各側面１１、１３の後端の後面左右の各フラップ形状部Ｐ１７、Ｐ１９が折れ線Ｌ６、Ｌ８を介して直角に折り曲げられて後面左右の各フラップ１７、１９をなし、下側面１２の後端の後面内蓋形状部Ｐ２０が折れ線Ｌ９を介して直角に折り曲げられて後面内蓋２０をなし、そして、上側面１４の後端の後面外蓋形状部Ｐ２２が折れ線Ｌ１１を介して直角に折り曲げられて後面外蓋１１をなし、それぞれが後面で重合される。この後面外蓋２２の内側で後面外蓋２２と後面内蓋２０が接着剤を介して連結され、後面が封止される。また、左、右各側面１１、１３の前端の前面左右の各フラップ形状部Ｐ１６、Ｐ１８が折れ線Ｌ５、Ｌ７を介して直角に折り曲げられて前面左右の各フラップ１６、１８をなし、上側面１４の前端の前面外蓋形状部Ｐ２１が折れ線Ｌ１０を介して直角に折り曲げられて前面外蓋２１をなし、それぞれが前面で重合される。そして、前面外蓋２１の接着片形状部Ｐ２１１が内側に略直角に折り曲げられて、接着片２１１が形成され、この接着片２１１が下側面１２の内側に差し込まれ、この接着片２１１と下側面１２が接着剤を介して接着固定されて、前面が封止される。これにより、この紙基材Ｐ１は直方体形状の箱形に組み立てられ、この場合、左側面１１に裏面に両面テープ１を有する情報カード２４が切り取り可能に設けられ、この情報カード２４の下に「開封済み」の文字及び開封年月日の記入欄が隠される。
【００１４】
包装用箱Ｂ１はこのようにして構成され、錠剤やカプセルなどの医薬品は複数個ずつ１枚のＰＴＰシート（プレススルーパックシート）に収納されて、このＰＴＰシートが所定の枚数ずつアルミ包材パックに封入された状態で、この包装用箱Ｂ１に包装され、調剤薬局などの医療機関へ供給される。
そして、医療機関では、この包装用箱Ｂ１に収容された医薬品を使用するに際し、包装用箱Ｂ１を開封し、必要に応じて、図１（ｂ）に示すように、この箱Ｂ１の左側面１１から情報カード２４を切り取って使用することになる。なお、情報カード２４の切り取りでは、その長辺である下部破断線Ｃ５（又は下部、上部各破断線Ｃ５、Ｃ４）をジッパー加工により形成してあるので、情報カード２４をタブ２４１から前面左フラップ１６方向へ容易かつ確実に切り取ることができる。そして、この情報カード２４を医薬品の保管場所の適宜の位置、例えば保管棚や保管ケースの前面に設置して使用する場合は、この情報カード２４を、裏面の両面テープ１を使って（図２参照）、保管棚や保管ケースの前面に貼り付ければよい。この場合、情報カード２４を箱Ｂ１から切り取った後、情報カード２４裏面の両面テープ１から？離紙２を剥がし取り、この情報カード２４を両面テープ１表面の接着面の接着力により保管棚や保管ケースの前面に貼り付けるだけである。これにより、情報カード２４の利便性は一段と高められる。そして、この箱Ｂ１の左側面（外側の板）１１から情報カード２４が切り取られると、図１（ｂ）に示すように、この箱Ｂ１の左側面（内側の板）に「開封済み」の文字及び開封年月日の記入欄が現れ、この医薬品の箱Ｂ１が既に開封済みであることが周知され、また、この箱Ｂ１を開封した年月日を開封年月日の記入欄に記入しておくことで、開封年月日も周囲に明らかとなる。これにより、この医薬品の箱Ｂ１が開封か未開封かの区別がつきやすく、未使用（未開封）のものを使用中のものと誤って開封し、情報カードを切り取ってしまうのを防止することができる。また、使用中（開封後）のものであれば、使用開始日（開封日）が明確となり、医薬品の管理上も好ましい。さらに、誤って情報カード２４を切り取ってしまった場合でも、この情報カード２４を裏面の両面テープ１を使って、左側面１１の切り取り位置に貼り付けて戻しておくことで、左側面１１の開封済みの文字を隠すことができ、未開封のものとして取り扱うこともでき、また、切り取り後の情報カード２４を紛失してしまうこともない。
また、この包装用箱Ｂ１は、左側面１１から情報カード２４が切り取られた後でも、この左側面１１は外側の板（左側面１１）と内側の板（連結面１５）が接合されて２重構造になっているので、左側面１１は確実に保持されており、箱Ｂ１として十分に利用可能になっている。
【００１５】
以上説明したように、この情報カード付き包装用箱Ｂ１によれば、情報カード２４の裏面に、両面テープ１がその一方の接着面で貼接され、他方の接着面を剥離紙２で保護されて貼設されるので、箱Ｂ１から切り取った情報カード２４を、裏面の両面テープ１を使って、医療機関の医薬品の保管場所の適宜の位置その他任意の位置に簡単に貼り付けて設置することができる。この場合、両面テープ１の剥離紙２を剥がすだけで、情報カード２４を即座に貼り付けることができる。
また、この場合、箱Ｂ１の４側面１１−１４、１５は少なくとも１面が外側の板１１と内側の板１５とからなる２重構造で、外側の板１１に情報カード２４が形成され、内側の板１５の情報カード２４の切り取り後の外側に現れる面に「開封済み」の文字が記入されるので、箱Ｂ１を開封し情報カード２４を切り取った後の箱Ｂ１が、「開封済み」の文字により、開封済みであることを明確にして、未使用（未開封）のものを使用中のものと誤って開封し、情報カード２４を切り取ってしまうのを防止することができる。
【００１６】
図４、図５に第２の実施の形態を示している。
図４に示すように、この情報カード付き包装用箱Ｂ２は、箱Ｂ２の一部に箱Ｂ２に収容する医薬品に関する各種の情報を表示した情報カード３４を切り取り可能に備え、この情報カード４７を医薬品の管理に使用するものである。この包装用箱Ｂ２においては、特に、図５に示すように、情報カード４７の裏面に、両面テープ１がその一方の接着面で貼接され、他方の接着面を剥離紙２で保護されて貼設される。
また、この情報カード付き包装用箱Ｂ２は、箱Ｂ２が、図４に示すように、４側面３１−３４、３５、３６と、４側面３１−３４、３５、３６の両端を封じる蓋４２，４５、４４，４６とを備える。この場合、４側面３１−３４、３５、３６はそれぞれ前後に長い長方形に形成され、この４側面３１−３４、３５、３６の前後両端にそれぞれ蓋４２，４５、４４，４６が略横長の長方形に形成される。また、４側面３１−３４、３５、３６は少なくとも１面が外側の板３１と内側の板３５とからなる２重構造で、外側の板３１に情報カード４７が切り取り可能に形成され、かつその一端は一方の蓋４２，４５側に延び、箱Ｂ２の両端を封じる際に、情報カード４７の一端が一方の蓋４２，４５の内側に配置され、この蓋４２，４５で押え固定されるようになっていて、内側の板３５の外側の板３１から情報カード４７が切り取られた後の外側に現れる面に「開封済み」の文字が印刷により記入される。
【００１７】
この情報カード付き包装用箱Ｂ２は、一枚のブランクシートから一体的に打ち抜かれて形成された一枚の紙基材（Ｐ２）からなり、この紙基材（Ｐ２）は各部が所定の順序で折り曲げられ、所定の各接着位置が接着固定されて組み立てられる。
【００１８】
図６にこの紙基材Ｐ２を示している。なお、この図６には紙基材Ｐ２の表面（組み立て後に表側となる面）が現れている。図６に示すように、この紙基材Ｐ２は、全体が前後方向に長い直方体形状に組み立て可能に、直方体形状に組み立て後の状態で、左側面３１、下側面３２、右側面３３、上側面３４、及び左側面３１に重合されて上側面３４と左側面３１とを連結する第１の連結面３５、下側面３２に部分的に重合されて下側面３２と左側面３１とを連結する第２の連結面３６をなす相互に折れ線Ｌ２１−Ｌ２５を介して連接して形成される４側面形状部Ｐ３１−Ｐ３６（左側面形状部Ｐ３１、下側面形状部Ｐ３２、右側面形状部Ｐ３３、上側面形状部Ｐ３４、及び第１、第２の連結面形状部Ｐ３５、Ｐ３６）と、左側面形状部Ｐ３１前方向の一端に折れ線Ｌ２６を介して形成され、直方体形状に組み立て後の状態で前面左フラップ３７をなす前面左フラップ形状部Ｐ３７と、右側面形状部Ｐ３３及び第１の連結面形状部Ｐ３５の前後方向の両端にそれぞれ折れ線Ｌ２７，Ｌ２８及びＬ２９，Ｌ３０を介して形成され、直方体形状に組み立て後の状態で前面右フラップ３８、後面右フラップ３９及び前面左フラップ４０、後面左フラップ４１をなす前面右フラップ形状部Ｐ３８、後面右フラップ形状部Ｐ３９及び前面左フラップ形状部Ｐ４０、後面左フラップ形状部Ｐ４１と、下側面形状部Ｐ３２の前後方向の両端にそれぞれ折れ線Ｌ３１、Ｌ３２を介して形成され、直方体形状に組み立て後の状態で前面内蓋４２をなす前面内蓋形状部Ｐ４２、さらにこの前面内蓋形状部Ｐ４２の先端延長上に折れ線Ｌ３３を介して連続して形成され、前面内蓋４２の差し込み片４３をなす横長の帯状の差し込み片形状部Ｐ４３、及び後面内蓋４４をなす後面内蓋形状部Ｐ４４と、上側面形状部Ｐ３４の前後方向の両端にそれぞれ折れ線Ｌ３４、Ｌ３５を介して形成され、直方体形状に組み立て後の状態で前面外蓋４５をなす前面外蓋形状部Ｐ４５、後面外蓋４６をなす後面外蓋形状部Ｐ４６とを有する。
この場合、４側面形状部Ｐ３１−Ｐ３６はそれぞれ前後に長い長方形に形成され、下側面形状部Ｐ３２、上側面形状部Ｐ３４がそれぞれ左側面形状部Ｐ３１、右側面形状部Ｐ３３よりも少し幅広に形成される。前面外蓋形状部Ｐ４５、後面外蓋形状部Ｐ４６、前面内蓋形状部Ｐ４２、後面内蓋形状部Ｐ４４、各フラップ形状部Ｐ３７、Ｐ３８、Ｐ３９、Ｐ４０、Ｐ４１はそれぞれ略台形状に形成され、前面外蓋形状部Ｐ４５、後面外蓋形状部Ｐ４６、前面内蓋形状部Ｐ４２、後面内蓋形状部Ｐ４３はそれぞれ、各フラップ形状部Ｐ３７、Ｐ３８、Ｐ３９、Ｐ４０、Ｐ４１よりも大きく形成される。また、第１の連結面形状部Ｐ３５は右側面形状部Ｐ３３と略同じ大きさ、形状に形成され、第２の連結面形状部Ｐ３６は第１の連結形状部Ｐ３５と略同じ大きさに形成され、前、後各端部が僅かに切り欠かれている。右側面形状部Ｐ３３及びその前後の各フラップ形状部Ｐ３８，Ｐ３９と第１の連結面形状部Ｐ３５及びその前後の各フラップ形状部Ｐ４０，Ｐ４１は上側面形状部Ｐ３４を中心に対称的に同じ大きさ、形状に形成される。
また、この場合、上側面形状部Ｐ３４の前端に前面外蓋形状部Ｐ４５を切り離すための破断線Ｃ１１が折れ線Ｌ３４の位置から上側面形状部Ｐ３４内に略台形の溝形に、さらにその両端から折れ線Ｌ３４上に沿って直線状に形成され、下側面形状部Ｐ３２の後端に、この箱Ｂ２を廃棄するときに、箱Ｂ２が折り畳みやすくなるように、後面内蓋形状部Ｐ４４を切り離すための破断線Ｃ１２が折れ線Ｌ３２の位置から下側面形状部Ｐ３２内に略円弧状に、さらにその両端から折れ線Ｌ３２上に沿って直線状に形成される。
そして、この紙基材Ｐ２においては、箱Ｂ２の左側面３１をなす左側面形状部Ｐ３１と第１の連結面３５をなす第１の連結面形状部Ｐ３５が左側面形状部Ｐ３１を外側（外側の板）、第１の連結面形状部Ｐ３５を内側（内側の板）にして重ね合わされ接合される部分になり、この左側面形状部Ｐ３１に箱Ｂ２に収容する医薬品に関する各種の情報を表示した情報カード４７が切り取り可能に形成され、この情報カード４７の裏面に、両面テープ１がその一方の接着面で貼接され、他方の接着面を剥離紙２で保護されて貼設される（図５参照）。この場合、情報カード４７は左側面形状部Ｐ３１内に、前端の前面左フラップ形状部Ｐ３７の下縁部（図６中、右側の縁部）に連続して左側面形状部Ｐ３１と下側面形状部Ｐ３２との間の折れ線Ｌ２１上に沿って所定の長さの下部破断線（切り取り方向を前面左フラップ３７から後部方向とするジッパー加工）Ｃ１３が形成され、この前面左フラップ形状部Ｐ３７の上縁部（図６中、左側の縁部）に連続して左側面形状部Ｐ３１内を後端方向に向けて下部破断線Ｃ１３と同じ所定の長さまで上部破断線（切り取り方向を前面左フラップ３７から後部方向とするジッパー加工）Ｃ１４が形成され、これら下部、上部破断線Ｃ１３、Ｃ１４の終端部間に後部破断線（ジッパー加工）Ｃ１５が形成されて、前面左フラップ形状部Ｐ３７から左側面形状部Ｐ３１の前後中間付近にかけて連続的に形成される。
紙基材Ｐ２はこのようにして形成され、この紙基材Ｐ２の上側面形状部Ｐ３４や左右の各側面形状部Ｐ３１、Ｐ３３などには医薬品に関する各種の情報が印刷され、特に、外側の板となる左側面形状部Ｐ１１の情報カード４７内には、とりわけ医療機関で利用性の高い情報が記入され、内側の板になる第１の連結面形状部Ｐ３５の表面には、左側面形状部Ｐ３１から情報カード４７が切り取られた後の外側に現れる面に「開封済み」の文字が記入され、開封年月日の記入欄が設けられる。
【００１９】
このようにしてこの紙基材Ｐ２は各形状部が各折れ線を介して折り曲げられ、前後方向に長い直方体形状の箱形に組み立てられる。すなわち、下側面３２をなす下側面形状部Ｐ３２に対して左側面形状部Ｐ３１が折れ線Ｌ２１を介して直角に折り曲げられて左側面３１をなし、同様に、下側面形状部Ｐ３２に対して右側面形状部Ｐ３３が折れ線Ｌ２２を介して直角に折り曲げられて右側面３３をなし、この右側面３３に対して上側面形状部Ｐ３４が折れ線Ｌ２３を介して直角に折り曲げられて上側面３４をなす。そして、この上側面３４に対して第１の連結面形状部Ｐ３５が折れ線Ｌ２４を介して直角に折り曲げられ、左側面３１の内側に重合されて第１の連結面３５をなし、この第１の連結面３５に対して第２の連結面形状部Ｐ３６が折れ線Ｌ２５を介して直角に折り曲げられ、下側面３２の内側に重合されて第２の連結面３６をなす。この左側面３１の内側で左側面３１と第１の連結面３５が接着剤を介して（この場合、左側面３１の裏面側で、自由端側の縁部に沿って接着剤を塗布されて）連結され、この下側面３２の内側で下側面３２と第２の連結面３６が接着剤を介して（この場合、第２の連結面３６の裏面側で、第１の連結面３５に近接する一方の縁部に沿って接着剤を塗布されて）連結され、これにより４側面３１−３４、３５、３６が組み立てられる。この状態から、右側面３１、第１の連結面３５の後端の後面左右の各フラップ形状部Ｐ３９、Ｐ４１が折れ線Ｌ２８、Ｌ３０を介して直角に折り曲げられて後面左右の各フラップ３９、４１をなし、下側面３２の後端の後面内蓋形状部Ｐ４４が折れ線Ｌ３２を介して直角に折り曲げられて後面内蓋４４をなし、そして、上側面３４の後端の後面外蓋形状部Ｐ４６が折れ線Ｌ３５を介して直角に折り曲げられて後面外蓋４６をなし、それぞれが後面で重合される。この後面外蓋４６の内側で後面外蓋４６と後面内蓋４４が接着剤を介して連結され、後面が封止される。そして、左、右各側面３１、３３の前端の前面左右の各フラップ形状部Ｐ３７、Ｐ３８が第１の連結面３５の前端の前面左フラップ形状部Ｐ４０とともに折れ線Ｌ２６、Ｌ２７、Ｌ２９を介して直角に折り曲げられて前面左右の各フラップ３７，４０、３８をなし、下側面３２の前端の前面内蓋形状部Ｐ４２が折れ線Ｌ３１を介して直角に折り曲げられて前面内蓋４２をなし、さらに、この前面内蓋４２の差し込み片形状部Ｐ４３が内側に略直角に折り曲げられて、差し込み片４３が形成され、この差込片４３が上側面３４の内側に差し込まれ、上側面３４の前端の前面外蓋形状部Ｐ４５が折れ線Ｌ３４を介して直角に折り曲げられて前面外蓋４５をなし、それぞれが前面で重合される。そして、この前面外蓋４５の内側で前面外蓋４５と前面内蓋４２が接着剤を介して連結され、前面が封止される。このようにして紙基材Ｐ２は前後に長い直方体形状の箱形に組み立てられ、この場合、４側面３１−３４、３５、３６は少なくとも１面が外側の板３１と内側の板３５とからなる２重構造で、外側の板３１に裏面に両面テープ１を有する情報カード４７が切り取り可能に形成され、かつその前端、つまり前面左フラップ３７は前面外蓋４５側に延び、箱Ｂ２の両端が封じられて、情報カード４７の前端が前面外蓋４５、内蓋４２の内側に配置され、この蓋４５、４２で押え固定されるようになっていて、この情報カード４７の下に「開封済み」の文字及び開封年月日の記入欄が隠される。
【００２０】
包装用箱Ｂ２はこのようにして構成され、錠剤やカプセルなどの医薬品は複数個ずつ１枚のＰＴＰシート（プレススルーパックシート）に収納され、このＰＴＰシートが所定の枚数ずつアルミ包材パックに封入された状態で、この包装用箱Ｂ２に包装され、調剤薬局などの医療機関へ供給される。
そして、医療機関では、この包装用箱Ｂ２に収容された医薬品を使用するに際して、包装用箱Ｂ２を開封し、必要に応じて、図５（ａ）に示すように、この箱Ｂ２の左側面３１から情報カード４７を切り取って使用することになる。なお、この情報カード４７の切り取りでは、その長辺である下部破断線Ｃ１３、上部破断線Ｃ１４をジッパー加工により形成してあるので、情報カード４７を前面左フラップ３７から後部方向へ容易かつ確実に切り取ることができる。そして、情報カード４７を医薬品の保管場所の適宜の位置、例えば保管棚や保管ケースの前面に設置して使用する場合は、この情報カード４７を、裏面の両面テープ１を使って、保管棚や保管ケースの前面に貼り付ければよい。この場合、図７に示すように、情報カード４７の前端、つまり前面左フラップ３７が前面外蓋４５、内蓋４２の内側に配置され、この蓋４５、４２で押え固定されているので、図８に示すように、まず、前面外蓋４５を開封して、前面外蓋４５を前面内蓋４２とともに開放し、前面左フラップ３７を前面の各蓋４５、４２の外側に引き出す。そして、この状態から、図９に示すように、情報カード４７を切り取って、情報カード４７裏面の両面テープ１から？離紙２を剥がし取り（図５（ａ）参照）、この情報カード４７を両面テープ１表面の接着面の接着力により保管棚や保管ケースの前面に貼り付ければよい。これにより、情報カード４７の利便性は一段と高められる。また、この箱Ｂ２の場合、前面外蓋４５を開封しなければ、情報カード４７を切り取ることができないので、この箱Ｂ２の開封、情報カード４７の切り取りの順で、情報カード４７が切り取られ、この情報カード４７が切り取られると、この箱Ｂ２の左側面３１（内側の板３５）に「開封済み」の文字及び開封年月日の記入欄が現れ、この医薬品の箱Ｂ２が既に開封済みであることが周知される。そして、この箱Ｂ２を開封した時点で開封年月日の記入欄に開封した年月日を記入しておけば、開封年月日もまた周囲に明らかとなる。このようにこの箱Ｂ２にあっては、未開封のまま、情報カード４７のみが切り取られることがなく、未開封のものを開封済みと表示する余地がない。そして、この情報カード４７の切り取り後も、開封済みの文字と開封年月日の表示により、この医薬品の箱Ｂ２が開封か未開封かの区別がつきやすくなって、未使用（未開封）のものを使用中のものと誤って、箱Ｂ２を開封し、情報カード４７を切り取ってしまうのを防止することができる。また、使用中（開封後）のものであれば、使用開始日（開封日）が明確となり、医薬品の管理上も好ましいものとなる。さらに、この情報カード４７を誤って切り取ってしまった場合でも、この情報カード４７を裏面の両面テープ１を使って、左側面３１の切り取り位置に貼り付けて戻しておくことで、左側面３１の開封済みの文字を隠すことができ、未開封のものとして取り扱うこともでき、また、このようにすることで切り取り後の情報カード４７を紛失してしまうこともない。
また、この包装用箱Ｂ２は、左側面３１から情報カード４７が切り取られた後でも、この左側面３１は外側の板（左側面）３１と内側の板（第１の連結面）３５が接合されて２重構造になっており、さらに、内側の板３５に連続する第２の連結面３６が左側面３１に隣接する下側面３２に接合されるので、左側面３１と下側面３２との間に隙間がまったく生じることない状態で、左側面３１は確実に保持されており、箱Ｂ２として十分に利用可能になっている。
【００２１】
以上説明したように、この情報カード付き包装用箱Ｂ２によれば、情報カード４７の裏面に、両面テープ１がその一方の接着面で貼接され、他方の接着面を剥離紙２で保護されて貼設されるので、箱Ｂ２から切り取った情報カード４７を、裏面の両面テープ１を使って、医療機関の医薬品の保管場所の適宜の位置その他任意の位置に簡単に貼り付けて設置することができる。この場合、両面テープ１の剥離紙２を剥がすだけで、情報カード４７を即座に貼り付けることができる。
また、この場合、箱Ｂ２の４側面は少なくとも１面が外側の板３１と内側の板３５とからなる２重構造で、外側の板３１に情報カード４７が形成され、内側の板３５の情報カード４７の切り取り後の外側に現れる面に開封済みの文字が記入されることで、箱Ｂ２を開封し情報カード４７を切り取った後に箱Ｂ２が開封済みであることを明確にして、未使用（未開封）のものを使用中のものと誤って情報カードを切り取ってしまうのを防止することができる。
さらに、この場合、情報カード４７が箱Ｂ２の４側面のうちの少なくとも１側面に形成され、その前端（前面左フラップ３７）が前面外蓋４５側に延び、箱Ｂ２の両端を封じる際に、情報カード４７の前端（前面左フラップ３７）が前面外蓋４５、内蓋４２の内側に配置され、当該蓋４５、４２で押え固定されるので、箱Ｂ２を開封しなければ情報カード４７を切り取ることができず、未使用（未開封）のものを使用中のものと誤って情報カード４７を切り取ることがない。
【００２２】
なお、上記各実施の形態では、医薬品を包装するのに使用する情報カード付き包装用箱を例示したが、本発明の情報カード付き包装用箱は、医薬品に関らず、各種の物品を包装し、各種の物品に関する情報カードを切り取り可能に備える箱に同様に適用でき、同様の作用効果を奏することは勿論である。
【符号の説明】
【００２３】
Ｂ１  情報カード付き包装用箱
１  両面テープ
２  剥離紙
１１  左側面（外側の板）
１２  下側面
１３  右側面
１４  上側面
１５  連結面（内側の板）
１６  前面左フラップ
１７  後面左フラップ
１８  前面右フラップ
１９  後面右フラップ
２０  後面内蓋
２１  前面外蓋
２１１  接着片
２２  後面外蓋
２３  連結面フラップ
２４  情報カード
Ｐ１  紙基材
Ｐ１１  左側面形状部
Ｐ１２  下側面形状部
Ｐ１３  右側面形状部
Ｐ１４  上側面形状部
Ｐ１５  連結面形状部
Ｐ１６  前面左フラップ形状部
Ｐ１７  後面左フラップ形状部
Ｐ１８  前面右フラップ形状部
Ｐ１９  後面右フラップ形状部
Ｐ２０  後面内蓋形状部
Ｐ２１  前面外蓋形状部
Ｐ２１１  接着片形状部
Ｐ２２  後面外蓋形状部
Ｐ２３  連結面フラップ形状部
Ｌ１−Ｌ１２  折れ線
Ｃ１−Ｃ６  破断線
Ｂ２  情報カード付き包装用箱
１  両面テープ
２  剥離紙
３１  左側面（外側の板）
３２  下側面
３３  右側面
３４  上側面
３５  第１の連結面（内側の板）
３６  第２の連結面
３７  前面左フラップ
３８  前面右フラップ
３９  後面右フラップ
４０  前面左フラップ
４１  後面左フラップ
４２  前面内蓋
４３  差し込み片
４４  後面内蓋
４５  前面外蓋
４６  後面外蓋
４７  情報カード
Ｐ２  紙基材
Ｐ３１  左側面形状部
Ｐ３２  下側面形状部
Ｐ３３  右側面形状部
Ｐ３４  上側面形状部
Ｐ３５  第１の連結面形状部
Ｐ３６  第２の連結面形状部
Ｐ３７  前面左フラップ形状部
Ｐ３８  前面右フラップ形状部
Ｐ３９  後面右フラップ形状部
Ｐ４０  前面左フラップ形状部
Ｐ４１  後面左フラップ形状部
Ｐ４２  前面内蓋形状部
Ｐ４３  差し込み片形状部
Ｐ４４  後面内蓋形状部
Ｐ４５  前面外蓋形状部
Ｐ４６  後面外蓋形状部
Ｌ２１−Ｌ３５  折れ線
Ｃ１１−１５  破断線
【図１】
0003194833.tif 000003
【図２】
0003194833.tif 000004
【図３】
0003194833.tif 000005
【図４】
0003194833.tif 000006
【図５】
0003194833.tif 000007
【図６】
0003194833.tif 000008
【図７】
0003194833.tif 000009
【図８】
0003194833.tif 000010
【図９】
0003194833.tif 000011